(57)【要約】【課題】  従来、運搬パレット上の荷物が滑り落ちないように、パレット上面に滑り止め加工が施された滑り止め機能付きパレットが提案されている。しかし、これらの滑り止め機能付きパレットの滑り止め部材は、専用のパレット以外には取り付けることができず、また、一旦外れると再取り付けが困難である。【解決手段】  運搬パレット用滑り止めメッシュシートＡは、メッシュ状の芯地１１と、該芯地に付着する付着材１２とを備えている。該付着材１２は、発泡させた軟質の塩化ビニルである。これを滑り止め部材として運搬パレットに使用する。【選択図】  図１
2006273390.tif 000002
【特許請求の範囲】
【請求項１】
メッシュ状の芯地と、該芯地に付着する付着材とを備え、該付着材が発泡させた軟質の塩化ビニルである運搬パレット用滑り止めメッシュシート。
【請求項２】
該芯地の材質がポリエステルである請求項１記載の運搬パレット用滑り止めメッシュシート。
【請求項３】
多数の粒状物を備え、該粒状物がその裏面に付着する請求項１又は請求項２記載の運搬パレット用滑り止めメッシュシート。
【請求項４】
運搬パレットへの着脱手段を備える請求項１から請求項３のうちいずれか一項記載の運搬パレット用滑り止めメッシュシート。
【請求項５】
運搬パレットと、シートとを備え、該運搬パレットの上面に該シートが敷かれ又は貼り付けられた滑り止め機能付パレットであって、該シートが請求項１から請求項３のうちいずれか一項記載の運搬パレット用滑り止めメッシュシートである滑り止め機能付パレット。
【請求項６】
着脱手段を備え、該着脱手段によって該運搬パレットの上面に該シートを着脱自在に取り付けることができる請求項５記載の滑り止め機能つきパレット。
【請求項７】
運搬パレット上に荷物を積む際に、運搬パレットと荷物との間に請求項１から請求項３のうちいずれか一項記載の運搬パレット用滑り止めメッシュシートを介在させる荷物滑り防止方法。
【請求項８】
運搬パレット上に複数段に荷物を積み上げる際に、上下方向に隣り合う荷物の間に請求項１から請求項３のうちいずれか一項記載の運搬パレット用滑り止めメッシュシートを介在させる荷崩れ防止方法。
【発明の詳細な説明】
【技術分野】
【０００１】
本発明は、運搬パレット用滑り止めメッシュシートに関するものである。
【背景技術】
【０００２】
従来から、比較的重量の大きい荷物の運搬には、運搬パレットが使用されている。荷物は、この運搬パレットに乗せられ、そのままの状態で運搬される。そのため、運搬状況が悪いと、パレット上面から荷物が滑り落ちる場合がある。
【０００３】
この荷物の滑り落ちの対策として、荷物とパレットをストレッチフィルムで巻きつけて固定する方法がある。この方法は、荷物が数段にわたって積み上げられる場合に有効な方法である。一方、ストレッチフィルムの付け外しには時間がかかるため、短距離の運搬には向いていない。
【０００４】
そこで、短距離の運搬には、上面に滑り止め加工が施された滑り止め機能付きパレットが使用されることが多い。例えば、表面にゴムを施したパレットが提案されている（例えば、特許文献１から３参照）。
【特許文献１】特開２０００−２３８７７４
【特許文献２】特開平１０−０１６９６５
【特許文献３】特開平０５−０４２９４３
【発明の開示】
【発明が解決しようとする課題】
【０００５】
しかしながら、これらの滑り止め機能付きパレットは以下のような欠点を有する。
【０００６】
滑り止め部材は、専用のパレット以外には取り付けることができず、よって、既存のパレットを利用できない。滑り止め部材は交換を想定しておらず、滑り止め部材が一旦外れると、再取り付けが困難である。滑り止め効果は、パレットに接する荷物に対してのみ働くため、荷物を積み重ねると、荷崩れを起こしやすい。
【０００７】
本発明は、以上のような欠点を解消することを課題とする。
【課題を解決するための手段】
【０００８】
上記課題を解決するために、本願に係る運搬パレット用滑り止めメッシュシートは、メッシュ状の芯地と、該芯地に付着する付着材とを備え、該付着材を発泡させた軟質の塩化ビニルとした（請求項１）。このような構成により、シート表面が軟らかく、表面変形の自由度を高くできる。これにより、運搬パレットに使用した場合には、運搬パレット及び荷物との摩擦係数を大きくできる。
【０００９】
該運搬パレット用滑り止めメッシュシートは、芯地をポリエステルとしてもよい（請求項２）。このような構成により、シート縦断面方向への引張り強さを大きくできる。
【００１０】
また、該運搬パレット用滑り止めメッシュシートは、裏面に多数の粒状物を付着させてもよい（請求項３）。この構成により、該運搬パレット用滑り止めメッシュシートに荷物が積載された場合、その荷重による力を粒状物先端に集中させて運搬パレットへ伝えることができる。
【００１１】
さらに、該運搬パレット用滑り止めメッシュシートは、運搬パレットへの着脱手段を備えてもよい（請求項４）。この構成により、せん断強さが増加すると共に、剥離強さを加えることができる。
【００１２】
運搬パレットを請求項１から請求項３のうちいずれか一項記載の運搬パレット用滑り止めメッシュシートを備えた滑り止め機能付パレットとした（請求項５）。この構成により、運搬パレットと荷物の間に該運搬パレット用滑り止めメッシュシートを介在させることができる。
【００１３】
該滑り止め機能付パレットには、該運搬パレット用滑り止めメッシュシートの着脱手段を備えてもよい（請求項６）。この構成により、運搬パレットから該運搬パレット用滑り止めメッシュシートの取り付け及び取り外しができるようになる。
【００１４】
また、請求項１から請求項３のうちいずれか一項記載の運搬パレット用滑り止めメッシュシートを荷物とパレットの間に介在させる滑り防止方法（請求項７）を用いる。この方法により、荷物とパレットの間に大きな摩擦力が発生する。
【００１５】
荷物を積み重ねる場合には、請求項１から請求項３のうちいずれか一項記載の運搬パレット用滑り止めメッシュシートを上下方向に隣り合う荷物の間に介在させる荷崩れ防止方法（請求項８）を用いる。この方法により、上下方向に隣り合う荷物の間に大きな摩擦力が発生する。
【発明の効果】
【００１６】
本発明に係る運搬パレット用滑り止めメッシュシートを滑り止め部材として使用すれば以下の効果がある。従来の滑り止め部材を使用する場合よりも荷物が滑りにくくなる。専用のパレットを必要とせず、既存のパレットに使用できる。手間をかけずに荷崩れを防止できるようになる。
【発明を実施するための最良の形態】
【００１７】
以下、本発明を実施するための最良の形態について図面を参照して説明する。
まず、図１を参照しつつ、本願発明の運搬パレット用滑り止めメッシュシートＡについて説明する。
【００１８】
図１は運搬パレット用滑り止めメッシュシートＡの図であり、（ａ）は表面図、（ｂ）は表面拡大図、そして（ｃ）は断面図である。
【００１９】
運搬パレット用滑り止めメッシュシートＡは、芯地１１と、付着材１２とを備える。芯地１１は芯線１３をメッシュ状に編みこんだものである。芯地１１の形状及び寸法は、おおよそパレット上面の形状及び寸法と等しい。付着材１２を芯線１３に付着させることにより、付着材１２をメッシュ状にする。付着材１２の材質は発泡させた軟質の塩化ビニルとする。芯線１３の材料をポリエステルとすれば、シートが容易に破れるのを防止できる。
【００２０】
本実施形態においては、芯線１３の線径は約１．５ｍｍ、メッシュの縦ピッチは約３ｍｍ、横ピッチは約１．５ｍｍとする。また、塩化ビニルは熱で付着させる。これにより、シート厚さ約２．２ｍｍ、線径約１．５ｍｍ、開き目（メッシュ）寸法約２ｍｍのシートを製造することができる。
【００２１】
一般に、摩擦力は、見かけの面積のわずか数パーセント程である真実接触面積に依存する。本発明に係る運搬パレット用滑り止めメッシュシートは、表面が非常に軟らかく、また、メッシュの開き目があるため表面変形の自由度が高い。特にせん断力が作用すると、真実接触面積が非常に大きくなり、摩擦力が増大する。
【００２２】
この特性により、本発明に係る運搬パレット用滑り止めメッシュシートを滑り止め部材として使用する場合、運搬パレットへの特別な固定手段は不要となる。その結果、本発明に係る運搬パレット用滑り止めメッシュシートは、どのようなパレットにも滑り止め部材として使用できる。また、容易に取り外すことができるので、マットの交換や洗浄が容易に行える。
【００２３】
以上、図１を参照しつつ、本願発明の運搬パレット用滑り止めメッシュシートＡについて説明した。
【００２４】
次に図２を参照しつつ、粒状物付き運搬パレット用滑り止めメッシュシートＡ´を説明する。また、図３を参照しつつ、粒状物を付けたことにより得られる効果についても説明する。
【００２５】
図２は運搬パレット用滑り止めメッシュシートＡ´の裏面側拡大図である。
【００２６】
運搬パレット用滑り止めメッシュシートＡ´は、運搬パレット用滑り止めメッシュシートＡと、粒状物１４とを備える。運搬パレット用滑り止めメッシュシートＡ´は、図１の運搬パレット用滑り止めメッシュシートＡにエポキシ樹脂を塗布し、粒状物１４を接着させることにより製造することができる。本実施形態においては、粒状物１４はセラクロンを用いる。また、粒状物１４の大きさは０．５〜１ｍｍで、１平方ｃｍあたり６０〜８０個の粒状物を接着する。
【００２７】
図３は、表面に潤滑油等による油膜１５が付着した運搬パレットＢに運搬パレット用滑り止めメッシュシートが載置された状態を示す断面図であり、（ａ）は図１の運搬パレット用滑り止めメッシュシートＡの場合、（ｂ）は上記運搬パレット用滑り止めメッシュシートＡ´の場合を表している。
【００２８】
（ａ）のように、運搬パレットＢ表面に潤滑油等が付着している場合、図１の運搬パレット用滑り止めメッシュシートＡは油膜１５に浮いてしまい、真実接触面積が確保できず、滑り止め効果を十分に発揮できない。
【００２９】
一方、粒状物１４があると（ｂ）に示すように油膜１５があっても運搬パレットＢの表面と粒状物先端が接触することができ、シートは滑りにくくなる。このように、運搬パレットＢ表面に潤滑油等による油膜１５が付着している場合には、運搬パレット用滑り止めメッシュシートＡ´を使用するのが有効である。
【００３０】
以上、図２を参照しつつ、運搬パレット用滑り止めメッシュシートＡ´を説明し、図３を参照しつつ、粒状物を付けたことにより得られる効果についても説明した。
【００３１】
次に、図４を参照しつつ、滑り止め機能付き運搬パレットＣについて説明する。
【００３２】
図４は、滑り止め機能付き運搬パレットＣの図である。
【００３３】
滑り止め機能付き運搬パレットＣは、運搬パレット用滑り止めメッシュシートＡと、運搬パレットＢとを備える。運搬パレットＢの上面に運搬パレット用滑り止めメッシュシートＡを敷くか又は貼り付けることにより、滑り止め機能付き運搬パレットＣが構成される。
【００３４】
また、貼り付け手段として、一対の面ファスナー１６（面ファスナーの代表商品には、例えばクラレ社の「マジックテープ（登録商標）」がある。）を備えてもよい。面ファスナー１６は請求項６でいう着脱手段の一形態である。面ファスナー１６の一方は運搬パレット用滑り止めメッシュシートＡに取り付け、他方は運搬パレットＢに取り付ける。面ファスナー１６を取り付ける位置及び範囲は任意であるが、本実施形態では、図４に示すように運搬パレットＢの上面と運搬パレット用滑り止めメッシュシートＡの裏面とにおいて、向かい合う２辺に沿って取り付けることとする。
【００３５】
これにより、運搬パレット用滑り止めメッシュシートＡは運搬パレットＢへ容易に着脱することができる。
【００３６】
運搬パレット用滑り止めメッシュシートＡは、運搬パレットＢ上面に敷くだけで、滑り止め機能を有するが、着脱手段によって取り付けたときに得られる特別の効果もある。つまり、運搬パレットＢ表面の油膜の影響で、運搬パレット用滑り止めメッシュシートＡの滑り止め機能が十分に発揮できないような場合には、滑り止め機能を補助する効果がある。さらに、荷物を積載する際に、運搬パレット用滑り止めメッシュシートＡがめくれあがるのを防止する効果もある。
【００３７】
なお、本実施形態では着脱手段を面ファスナーとしたが、面ファスナーの代わりにクリップ、両面テープ、輪ゴム、磁石を使用してもよい。図４では、図１の運搬パレット用滑り止めメッシュシートＡに着脱手段を取り付けた例を示したが、図２の運搬パレット用滑り止めメッシュシートＡ´に着脱手段を取り付けてもよい。
【００３８】
以上、図４を参照しつつ、滑り止め機能付き運搬パレットについて説明した。
【００３９】
次に、図５及び図６を参照しつつ、荷物の滑り防止方法及び荷崩れ防止方法について説明する。
【００４０】
図５は、運搬パレットＢの上面に荷物Ｄ１を積載した図であり、（ａ）は運搬パレット用滑り止めメッシュシートＡ１を介在させた状態、（ｂ）は介在させない状態を表す。なお、運搬パレット用滑り止めメッシュシートＡ１は、図１の運搬パレット用滑り止めメッシュシートＡと同様の構造を有する。
【００４１】
運搬パレットＢ上に荷物を積む際に、（ａ）のように荷物Ｄ１と運搬パレットＢの間に運搬パレット用滑り止めメッシュシートＡ１を介在させることにより、荷物Ｄ１の滑りを防止できる。
【００４２】
滑り防止の効果を検証するために次の実験を行った。（ａ）の状態と（ｂ）の状態とで運搬パレットＢの傾斜角αを０度から徐々に大きくしていき、荷物Ｄ１が滑り始めるときの傾斜角を計測し、比較する。荷物Ｄ１にはプラスチック製のコンテナを６個使用し、コンテナの中にそれぞれ２５Ｋｇのおもり（合計１５０Ｋｇ）を入れ、実験を行った。なお、運搬パレット用滑り止めメッシュシートＡ１には着脱手段を設けておらず、運搬パレットは樹脂製のものを使用した。
【００４３】
実験の結果、運搬パレット用滑り止めメッシュシートＡ１を介在させなかった状態では、傾斜角が約３０度のときに荷物が滑り始めたのに対して、介在させた状態では傾斜角が５０度になっても荷物の滑りは生じなかった。
【００４４】
図６は、荷物を数段に積載した状態図である。
【００４５】
図６にあるように運搬パレットＢの上面に運搬パレット用滑り止めメッシュシートＡ１を敷き、運搬パレット用滑り止めメッシュシートＡ１の上に荷物Ｄ１を積載し、荷物Ｄ１の上面に運搬パレット用滑り止めメッシュシートＡ２を敷き、運搬パレット用滑り止めメッシュシートＡ２の上に荷物Ｄ２を積載する。なお、運搬パレット用滑り止めメッシュシートＡ１及び運搬パレット用滑り止めメッシュシートＡ２は、図１の運搬パレット用滑り止めメッシュシートＡと同様の構造を有する。
【００４６】
このように荷物を数段に積載する場合は、滑りが発生する可能性のある個所に運搬パレット用滑り止めメッシュシートを介在させることにより荷崩れが防止できる。この方法は、荷物を重ねる場合にもストレッチフィルムを巻き付けるような手間がかからないため、効率のよい運搬が可能となる。
【００４７】
以上、図５及び図６を参照しつつ、荷物の滑り落ち防止方法及び荷崩れ防止方法について説明した。
【図面の簡単な説明】
【００４８】
【図１】図１は、運搬パレット用滑り止めメッシュシートの図であり、（ａ）は表面図、（ｂ）は表面拡大図、（ｃ）は断面図である。
【図２】図２は、粒状物を取り付けた運搬パレット用滑り止めメッシュシートの裏面側拡大図である。
【図３】図３は、表面に油膜が付着した運搬パレットに運搬パレット用滑り止めメッシュシートが載置された状態を示す断面図であり、（ａ）は図１の運搬パレット用滑り止めメッシュシートの場合、（ｂ）は図２の運搬パレット用滑り止めメッシュシートの場合を表している。
【図４】図４は、滑り止め機能付き運搬パレットの図である。
【図５】図５は、運搬パレットの上面にその上に荷物を積載した図であり、（ａ）は運搬パレット用滑り止めメッシュシートを介在させた状態、（ｂ）は介在させなかった状態を表す図である。
【図６】図６は、荷物を数段に積載した状態図である。
【符号の説明】
【００４９】
Ａ、Ａ´、Ａ１、Ａ２  運搬パレット用滑り止めメッシュシート
Ｂ  運搬パレット
Ｃ  滑り止め機能付き運搬パレット
Ｄ１、Ｄ２  荷物
α  運搬パレットの傾斜角度
１１  芯地
１２  付着材
１３  芯線
１４  粒状物
１５  油膜
１６  面ファスナー
【図１】
2006273390.tif 000003
【図２】
2006273390.tif 000004
【図３】
2006273390.tif 000005
【図４】
2006273390.tif 000006
【図５】
2006273390.tif 000007
【図６】
2006273390.tif 000008